(57)【要約】【課題】ホッパーの傾斜部に生ごみが残存することのないディスポーザを提供することにある。【解決手段】ディスポーザは破砕部上部に設けられる生ごみ投入口４及び投入口４へ生ごみを導くための傾斜部２１を有するホッパー２を備える。このホッパー２周縁の上部に設けられる水供給部７は、傾斜部２１上方から投入口４へ旋回的に流れる水を吐出する。水供給部７は、ホッパー２周縁の上部にて略水平方向へ延設された供給管７２から水を吐出し、生ごみを投入口４へ流し込む。【選択図】図２
2007209876.tif 000002
【特許請求の範囲】
【請求項１】
生ごみを破砕部により破砕するディスポーザにおいて、
前記破砕部上部に設けられた生ごみ投入口と、
前記投入口へ生ごみを導くための傾斜部を有するホッパーと、
前記ホッパー周縁の上部に設けられ、前記傾斜部上方から前記投入口へ旋回的に流れる水を吐出する水供給部と
を備えることを特徴とするディスポーザ。
【請求項２】
前記水供給部は、前記ホッパー周縁の上部にて略水平方向へ延設された供給管を備えることを特徴とする請求項１に記載のディスポーザ。
【請求項３】
前記水供給部の先端を水の吐出方向に向けてテーパ状としてあることを特徴とする請求項１または２に記載のディスポーザ。
【請求項４】
前記水供給部は複数設けていることを特徴とする請求項１乃至３のいずれか一つに記載のディスポーザ。
【請求項５】
前記ホッパー上部の開口の一部を開閉自在に覆う開閉蓋
をさらに備えることを特徴とする請求項１乃至４のいずれか一つに記載のディスポーザ。
【請求項６】
前記開閉蓋は光透過性を有することを特徴とする請求項５に記載のディスポーザ。
【請求項７】
前記水供給部は２つであり、前記ホッパー周縁の上部にて前記開閉蓋を介して、吐出方向が反対となるよう配置されていることを特徴とする請求項５または６に記載のディスポーザ。
【発明の詳細な説明】
【技術分野】
【０００１】
本発明は、生ごみを破砕するディスポーザに関し、特にホッパーの傾斜部上方から投入口へ旋回的に流れる水を吐出する水供給部を備えるディスポーザに関する。
【背景技術】
【０００２】
近年、一般家庭において日々発生するゴミの減量が社会的な課題となっており、この課題を解決するための一つの手段として、主として厨房の周りに発生する生ごみを分解処理する生ごみ処理機が種々提案されている。
【０００３】
この生ごみ処理機での処理効率を向上させるために、ディスポーザにより事前に生ごみを細かく破砕する技術が開示されている（例えば特許文献１参照）。生ごみはホッパーに投入され、水流と共に、投入口を経て生ごみを破砕する破砕部に送られる。生ごみは破砕部内部で高速回転する回転歯により、細かく破砕される。破砕後の生ごみは生ごみ処理機側へ搬送され、様々な方式により、生ごみの処理が実行されることになる。
【特許文献１】特開２００４−１０５８８１号公報
【発明の開示】
【発明が解決しようとする課題】
【０００４】
しかしながら、生ごみが投入口へ向かうことなく、ホッパーの傾斜部にて残存するという問題があった。この残存した生ごみは悪臭の原因となり、さらにこの残存した生ごみが乾燥した場合は、その清掃に時間がかかるという問題もあった。
【０００５】
また、破砕部は鋭利な回転歯が高速で回転しているため異物が落下した場合、破砕歯を損傷することになる。
【０００６】
本発明は斯かる事情に鑑みてなされたものであり、本発明の目的は、ホッパー周縁の上部に、傾斜部上方から投入口へ旋回的に流れる水を吐出する水供給部を設けることにより、ホッパーの傾斜部に生ごみが残存することのないディスポーザを提供することにある。
【０００７】
また、本発明の他の目的は、ホッパー上方の開口の一部に、投入口上方を開閉自在に覆う開閉蓋を架設することにより、異物の投入口落下による破砕部の損傷を防止することが可能なディスポーザを提供することにある。
【課題を解決するための手段】
【０００８】
本発明に係るディスポーザは、生ごみを破砕部により破砕するディスポーザにおいて、前記破砕部上部に設けられた生ごみ投入口と、前記投入口へ生ごみを導くための傾斜部を有するホッパーと、前記ホッパー周縁の上部に設けられ、前記傾斜部上方から前記投入口へ旋回的に流れる水を吐出する水供給部とを備えることを特徴とする。
【０００９】
本発明に係るディスポーザは、前記水供給部は、前記ホッパー周縁の上部にて略水平方向へ延設された供給管を備えることを特徴とする。
【００１０】
本発明に係るディスポーザは、前記水供給部の先端を水の吐出方向に向けてテーパ状としてあることを特徴とする。
【００１１】
本発明に係るディスポーザは、前記水供給部は複数設けていることを特徴とする。
【００１２】
本発明に係るディスポーザは、前記ホッパー上部の開口の一部を開閉自在に覆う開閉蓋をさらに備えることを特徴とする。
【００１３】
本発明に係るディスポーザは、前記開閉蓋は光透過性を有することを特徴とする。
【００１４】
本発明に係るディスポーザは、前記水供給部は２つであり、前記ホッパー周縁の上部にて前記開閉蓋を介して、吐出方向が反対となるよう配置されていることを特徴とする。
【００１５】
本発明にあっては、ディスポーザは破砕部上部に設けられた生ごみ投入口及び投入口へ生ごみを導くための傾斜部を有するホッパーを備える。このホッパー周縁の上部に設けられた水供給部は、傾斜部上方から投入口へ旋回的に流れる水を吐出するので、ホッパーの傾斜部に生ごみが残存するという事態を回避できる。
【００１６】
本発明にあっては、水供給部は、ホッパー周縁の上部にて略水平方向へ延設された供給管から水を吐出するので、略水平方向へ吐出された水は、長い間傾斜部から投入口へかけて旋回する。
【００１７】
本発明にあっては、水供給部の先端を水の吐出方向へ向けてテーパ状としたので、勢いのある水が吐出される。
【００１８】
本発明にあっては、水供給部を複数設けるので、より確実に生ごみを投入口へ流し込むことが可能となる。
【００１９】
本発明にあっては、ホッパー上部の開口の一部を覆う開閉自在な開閉蓋をホッパー上に架設する。このように開閉蓋を設け、処理時には当該開閉蓋を閉じるようにするので、異物の投入口への落下による破砕部の損傷を防止できる。
【００２０】
本発明にあっては、開閉蓋は光透過性を有するので、傾斜部に残存する生ごみを容易に視認することができる。
【００２１】
本発明にあっては、ホッパー周縁の上部にて開閉蓋を介して２つの水供給部を吐出方向を反対にして配置する。このように開閉蓋の両側で水が相互に反対側に旋回するので、より確実に生ごみを投入口へ流し込むことが可能となる。
【発明の効果】
【００２２】
本発明にあっては、ホッパー周縁の上部に設けられる水供給部から、傾斜部上方から投入口へ旋回的に流れる水を吐出するので、ホッパーの傾斜部に生ごみが残存するという事態を回避することが可能となる。
【００２３】
本発明にあっては、水供給部は、ホッパー周縁の上部にて略水平方向へ延設された供給管から水を吐出するので、略水平方向へ吐出された水は、長い間傾斜部から投入口へかけて旋回し、効率よく生ごみを投入口へ流し込むことが可能となる。
【００２４】
本発明にあっては、水供給部の先端を水の吐出方向へ向けてテーパ状としたので、勢いのある水が吐出され、流れにくい生ごみも投入口へ流し込むことが可能となる。
【００２５】
本発明にあっては、水供給部を複数設けるので、複数の水流の相互作用により、確実に生ごみを投入口へ流し込むことが可能となる。
【００２６】
本発明にあっては、ホッパー上部の開口の一部を覆う開閉蓋を設け、処理時には当該開閉蓋を閉じるようにするので、異物の投入口への落下による破砕部の損傷を防止できる。
【００２７】
本発明にあっては、開閉蓋は光透過性を有するので、傾斜部に残存する生ごみを容易に視認でき、開閉蓋下部に生ごみが残存する事態を未然に回避することが可能となる。
【００２８】
本発明にあっては、ホッパー周縁上部にて開閉蓋を介して２つの水供給部を吐出方向を反対にして配置する。このように開閉蓋の両側で水が相互に反対側に旋回するので、これら水流の協調作用により確実に生ごみを投入口へ流し込むことが可能となる等、本発明は優れた効果を奏する。
【発明を実施するための最良の形態】
【００２９】
実施の形態１
以下本発明をその実施の形態を示す図面に基づいて詳述する。図１はディスポーザの概要を示す模式図、図２はディスポーザを上部から見た平面図、図３は図２の III−III 線による断面図、図４は図２のIV−IV線による断面図である。図５はディスポーザを制御する各ハードウェアのブロック図である。
【００３０】
図１に示すように、ディスポーザ１は直方体状の筐体を有し、上部に生ごみを投入するホッパー２、ホッパー２の一部を開閉自在に覆う開閉蓋６、開閉蓋６のハンドル６１、生ごみの移動を容易にすべく水を供給する水供給部７、ディスポーザ１を駆動する電源を供給する分電盤９、並びに、ディスポーザ１で破砕した生ごみ及び水を貯留する貯留槽（図示せず）または生ごみ処理機（図示せず）へ搬送する排出口５を含んで構成される。ディスポーザ１の稼働状態及び開閉蓋６の開閉状態を示す表示パネル８及び操作パネル８１は筐体側面に配置されている。
【００３１】
ディスポーザ１を稼働させる場合、分電盤９の電源をオンとし、開閉蓋６を閉状態とする。次いで、水供給部７から、水を供給しつつ生ごみをホッパー２に流し込む。なお、本実施の形態においてはディスポーザ１の筐体の形状を直方体状としたが、この形状に限るものではなく、円柱状のものであっても良い。水供給部７はバルブ７１及び供給管７２を含んで構成される。バルブ７１はホッパー２へ供給する水の給断を切り替えるものであり例えば電磁弁または手動の切替弁が用いられる。バルブ７１は、水を供給する開状態と、水の供給を停止する閉状態とを択一的に切り替える。水供給部７の先端には供給管７２が延設されている。供給管７２はホッパー２の周縁部２０近傍の上部にて略水平方向へ延設されており、開状態にあるバルブ７１を経由した水は、供給管７２の先端からホッパー２へ向けて吐出される。
【００３２】
図２の平面図及び図３の断面図に示されるように、ホッパー２は平面視において正方形であり、その断面は生ごみを投入口４へ導くべく、投入口４の方向へ向けて傾斜する傾斜部２１により構成される。ホッパー２は例えばステンレススチール等が用いられ、生ごみが円滑に投入口４へ流れるよう、傾斜部２１の傾斜角度が決定され、また投入された生ごみ及び供給される水がホッパー２外部へあふれ出さないよう、その四隅には周縁部２０が周設されている。傾斜部２１はホッパー２の最下面において、円形断面を有する投入口４に接続されている。投入口４を経た生ごみは破砕部３へ水と共に落下する。破砕部３は、複数の歯を有する回転歯３１、回転歯３１を回転させるモータＭ、並びに、水及び破砕後の生ごみを外部へ導く排出口５から構成される。回転歯３１はモータＭにより高速回転し、落下した生ごみを細かく破砕する。水及び破砕された生ごみは遠心力により回転歯３１の外周へ飛散し、最終的には排出口５を経てディスポーザ１外部へ排出される。
【００３３】
開閉蓋６は例えばステンレススチール、アルミニウムまたはプラスチックからなり、平面視において矩形状をなし側面視においてコの字型の形状をなし、両短辺においてホッパー２の周縁部２０に接触するよう架設されている。開閉蓋６の短辺側の一端にはハンドル６１が取り付けられており、他端には開閉蓋６の回動中心となるヒンジ部６２が設けられている。図４に示す如く、開閉蓋６を開ける場合は、ハンドル６１を把持し、ヒンジ部６２を中心とした円運動により開閉蓋６を持ち上げる。開閉蓋６は処理者が外部から投入口４付近を視認できるよう光透過性を有する部材とすることが好ましく、この場合透明のプラスチックからなる開閉蓋６を用いる。また、透明の部材を用いるだけではなく、外部から視認できるよう開閉蓋６の少なくとも天板部分をプラスチック、ステンレススチールまたはアルミニウム等を用いたメッシュ状のものとしても良い。メッシュは処理者の指が挿入できない程度の幅以下とすれば良い。
【００３４】
ホッパー２の周縁部２０の開閉蓋６一端と接触する部分には、開閉蓋６の開閉状態を検知する検知センサＳが埋設されている。なお、検知センサＳ及びヒンジ部６２の詳細は後述する。ホッパー２の上部の開口は、長さＬとする正方形であり、矩形状をなす開閉蓋６の長辺はホッパー２の一辺と略同じ長さＬである。短辺は投入口４の口径Ａよりも長いＡ＋αである。このように開閉蓋６は、平面視においてホッパー２上方の開口の一部であるが、投入口４の上方を完全に覆うべく構成される。なお、開閉蓋６の長辺及び短辺の長さは生ごみの処理量、及びディスポーザ１のサイズ等によって決定される。また、本実施の形態においては、ホッパー２の平面視を正方形としたが、丸形でも良い。また開閉蓋６の形状を矩形状としたが、この形状に限定するものではなく、開閉蓋６が投入口４の上方を覆うものであればどのような形状であってもよい。
【００３５】
図２に示すように、供給管７２は周縁部２０の一辺を跨いでホッパー２の傾斜部２１上側の適宜の位置まで、開閉蓋６の長辺方向へ沿って略水平に延設されている。白抜き矢印で示すように、水供給部７の供給管７２から吐出される水は傾斜部２１の上方から、吐出される水の勢い及び重力の相互作用により、旋回的に傾斜部２１を流れ、最終的に投入口４へ流れ落ちる。供給管７２は可撓性を有する材質が用いられ、処理者の好みによりその先端を上下左右へ動かすことが可能となっている。供給管７２は例えば、アルミニウム、ステンレススチール、またはプラスチック等を用いればよい。なお、本実施の形態においては供給管７２の延設方向を略水平方向としているが、水流に応じて延設方向を水平方向以外の方向としてもよい。
【００３６】
図４に示すように、開閉蓋６の長辺側面にはゴム等からなる保護部材としての保護シート１０、１０が、ホッパー２の傾斜部２１に向けて垂設される。保護シート１０は長辺が開閉蓋６の長辺と略同一であり、短辺がホッパー２の深さに略等しい矩形状のものを用意し、長辺の一部を、ホッパー２の傾斜部２１の傾斜角に沿わせてカッター等によりカットする。カットされていない保護シート１０の長辺は開閉蓋６の長辺側面に接着剤により固着される。このようにして製作された保護シート１０は２枚用意され、開閉蓋６の長辺側面にそれぞれに垂設される。保護シート１０は異物が誤ってホッパー２に落下した場合でも、安易に投入口４へ落下しない程度の柔軟性をもつ。なお、好ましくは開閉蓋６の下部及び投入口４周辺が視認できるよう、保護シート１０は透明のゴム等の光透過性を有する素材が良い。また、保護シート１０は、予め傾斜部２１に沿う形状で成形するようにしてもよい。
【００３７】
図５に示すように、ディスポーザ１の筐体内部には各部の制御を司るＣＰＵ（Central Processing Unit）８２、ＲＯＭ（Read Only Memory）８３、検知センサＳ、操作パネル８１、表示パネル８及びモータＭを備える。また水供給部７のバルブ７１もＣＰＵ８２に接続されている。ＣＰＵ８２はＲＯＭ８３に記憶された制御プログラムに従い、モータＭの制御、バルブ７１の開閉制御及び検知センサＳからの信号を処理する。検知センサＳは開閉蓋６の開閉状態を検知し、その状態に応じた信号をＣＰＵ８２に出力する。
【００３８】
操作パネル８１は図１に示すように「運転」、「停止」及び「非常停止」ボタンを備え、各ボタンからの入力信号はＣＰＵ８２へ出力される。処理者がディスポーザ１を稼働する場合、「運転」ボタンを押し、稼働を終了する場合、「停止」ボタンを押す。また事故、生ごみのつまり等により、緊急にディスポーザ１を停止させる場合は、「非常停止」ボタンを押す。
【００３９】
表示パネル８は図１に示すように「電源」ランプ、「運転」ランプ及び「スタンバイ」ランプを備える。分電盤９からディスポーザ１へ電力が供給されている場合、「電源」ランプが点灯する。「運転」ランプはディスポーザ１が稼働中である場合に点灯し、「スタンバイ」ランプは開閉蓋６が閉状態にある場合に点灯する。操作パネル８１の「運転」ボタンの押信号が入力された場合、ＣＰＵ８２は検知センサＳから出力される信号が、閉状態であるか否かを判断する。開閉蓋６が閉状態であって「スタンバイ」ランプが点灯している場合、ＣＰＵ８２はモータＭを駆動すると共に、バルブ７１を開状態とし、供給管７２を通じて水をホッパー２へ吐出する。水はホッパー２の傾斜部２１上方から投入口４へ旋回的に流れ、投入された生ごみは投入口４へ流れ落ち、投入口４へ流れ落ちた生ごみは破砕部３において破砕される。
【００４０】
一方、ＣＰＵ８２が、検知センサＳから出力される信号が閉状態でないと判断した場合、すなわち開閉蓋６が閉じられていない場合、モータＭの駆動を行わず、またバルブ７１は閉状態とされる。また処理者が「停止」または「非常停止」ボタンを操作した場合、ＣＰＵ８２はモータＭを停止すると共に、バルブ７１を閉状態として供給管７２を通じた水の供給を停止する。なお、本実施の形態においてはバルブ７１をＣＰＵ８２により自動制御することとしたが、手動により開状態または閉状態の切り替えを行っても良いことはもちろんである。
【００４１】
図６は検知センサＳの取り付け位置を示す模式的斜視図である。検知センサＳはホッパー２の周縁部２０の一辺に埋設されており、上下方向に移動することが可能な突起部Ｓ１が検知センサＳに連結されている。突起部Ｓ１下側と検知センサＳの上側との間には突起部Ｓ１を押し上げる図示しないバネが挿入されている。開閉蓋６が開状態の場合、突起部Ｓ１はバネの押し上げ作用によりホッパー２の周縁部２０から突出している。開閉蓋６が閉じられた場合、開閉蓋６の短辺が突起部Ｓ１を含むホッパー２の周縁部２０に当接し、開閉蓋６の重みにより突起部Ｓ１が押し下げられることになる。検知センサＳは突起部Ｓ１による押圧を検知し、開閉蓋６が閉じられたと判断する。なお、検知センサＳの位置及び構成はこれに限るものではなく、例えばヒンジ部６２の下部に設けてもよい。
【００４２】
図７はヒンジ部６２の構造を示す模式的斜視図、図８はヒンジ部６２の構造及び開閉蓋６の開閉遷移を示す模式的側面図である。ヒンジ部６２は、ホッパー２の周縁部２０上にねじ等により固定されたプレート６３、スライド板６２Ａ、６２Ａ、６２Ａ、枢軸６２Ｂ、保持手段としてのロックシャフト６２Ｃ、凹部６２Ｅ及びガイドホール６２Ｄにより構成されている。
【００４３】
プレート６３は、矩形状の平板であり、例えばステンレススチール等からなり、その長辺がホッパー２の周縁部２０と整合するようねじ等により螺合されている。プレート６３の短辺部位両端及び略中央部には同種の素材からなるスライド板６２Ａ、６２Ａ、６２Ａが上方に向けて垂設されている。スライド板６２Ａは側面視において矩形状をなし、角の一部に凹部６２Ｅが形成されている。
【００４４】
枢軸６２Ｂはプレート６３の両端に垂設されるスライド板６２Ａと、開閉蓋６とを貫通し、開閉蓋６が枢軸６２Ｂを中心として回動できるよう、スライド板６２Ａ及び開閉蓋６を軸支している。枢軸６２Ｂに隣接して開閉蓋６側面には、開閉蓋６上面に対して約４５度の角度をもつガイドホール６２Ｄが形成されている。開閉蓋６の下部短辺方向に沿って、ロックシャフト６２Ｃが、両端のスライド板６２Ａ、６２Ａに形成されたガイドホール６２Ｄ、６２Ｄに支持される形で架設されている。ロックシャフト６２Ｃは、例えばステンレススチール等からなり、円柱状をなし、両先端はガイドホール６２Ｄ、６２Ｄから抜け落ちないよう、ガイドホール６２Ｄの開口よりも口径が大きくなるよう構成されている。
【００４５】
図８を用いて、開閉蓋６の開閉状態の遷移を説明する。図８（ａ）は閉状態を、図８（ｂ）は閉状態から開状態への遷移状態を、図８（ｃ）は開状態を示す。開閉蓋６が閉状態にある場合、ロックシャフト６２Ｃはスライド板６２Ａに支えられ、ガイドホール６２Ｄの上部に位置する。処理者がハンドル６１を把持して、開閉蓋６を持ち上げた場合、開閉蓋６は枢軸６２Ｂを中心とした回動運動を行う。ロックシャフト６２Ｃは重力によりホッパー２方向へガイドホール６２Ｄ内で、スライド板６２Ａに当接する位置まで落下する。開状態へ移行すると、ロックシャフト６２Ｃはスライド板６２Ａの傾斜に従い凹部６２Ｅへ落ち込み、ガイドホール６２Ｄの最下点に位置する。
【００４６】
開閉蓋６に予期せぬ力がかかった場合でも、ロックシャフト６２Ｃのガイドホール６２Ｄ内での上方向への移動が、スライド板６２Ａの凹部６２Ｅに阻害され、開閉蓋６の回動運動も阻害される。処理者が開閉板６を閉じる場合は、図８に示すように凹部６２Ｅにあるロックシャフト６２Ｃをガイドホール６２Ｄの最上部に当接するまで、上方向へ持ち上げながら、開閉蓋６を閉じる。これにより、ロックシャフト６２Ｃはスライド板６２Ａの凹部６２Ｅをこえることができる。
【００４７】
実施の形態２
図９は実施の形態２に係るディスポーザ１を上部から見た平面図である。図９に示すように水供給部７、７を複数設けても良い。図９に示す水供給部７、７はバルブ７１に接続される配管が中途で２カ所に分岐しており、開状態にあるバルブ７１から供給される水は平面視において左上側の供給管７２及び右下側の供給管７２からそれぞれ吐出される。供給管７２、７２の先端はテーパ状となっており、吐出される水の勢いを向上させている。なお、本実施の形態において水供給部７、７は一つのバルブ７１を共用する構成としているが、水供給部７、７を完全に分離し、２つのバルブ７１、７１からそれぞれ水を供給するようにしても良い。
【００４８】
供給管７２、７２は開閉蓋６を平面視において介在させ、また水の吐出方向が相互に対向するよう配置されている。すなわち供給管７２、７２は開閉蓋６の左右の長辺方向に沿って略水平に延設されており、各供給管７２、７２の先端は互いに反対方向となっている。一方の供給管７２から吐出される水は白抜き矢印で示す如く、傾斜部２１を他方の供給管７２へ向けて旋回的に流れ、投入口４へ流れ落ちる。このように水供給部７、７を複数設けることで、水が供給されにくい部位にも確実に水が供給される。また、水供給部７、７の供給管７２、７２の先端部位をテーパ状としたので、水供給部７、７を複数にしたことに伴う水勢低下を防止し、より広い範囲にわたり旋回的に水をホッパー２に供給することが可能となる。なお、本実施の形態においては、水供給部７を２つとしたが、３以上としても良い。さらに本実施の形態においては、平面視左上及び右下の周縁部２０の対角位置に水供給部７、７を設けたが、これに限るものではなく、左上及び右上それぞれの位置に水供給部７、７を設けるなど、処理者の設計により適宜の位置に配置するようにすればよい。
【００４９】
本実施の形態２は以上の如き構成としてあり、その他の構成及び作用は実施の形態１と同様であるので、対応する部分には同一の参照番号を付してその詳細な説明を省略する。
【００５０】
実施の形態３
図１０は実施の形態３に係るディスポーザ１を上部から見た平面図である。図に示すように実施の形態３にかかる水供給部７の供給管７２は第１吐出口７２１及び第２吐出口７２２を備える。第１吐出口７２１は供給管７２先端に、その開口を供給管７２延設方向（開閉蓋６長辺方向）に臨ませて設けてある。一方、第２吐出口７２２は、延設される供給管７２が平面視において、周縁部２０を跨いで傾斜部２１の上部に差しかかった位置にて、供給管７２延設方向に対して略９０度の角度で、開閉蓋６短辺方向にその開口を臨ませて突設されている。第２吐出口７２２の口径は、第１吐出口７２１の口径よりも小さくしても良い。これにより、第２吐出口７２２から吐出される水が、少量となり開閉蓋６が水浸しになる事態を回避することが可能となる。
【００５１】
水供給部７のバルブ７１が開状態となった場合、供給管７２の第１吐出口７２１及び第２吐出口７２２それぞれから水が吐出され、白抜き矢印で示す如く、傾斜部２１から投入口４へ向けてそれぞれの方向から旋回的に水が流れる。延設方向に対して９０度の方向においては、旋回する水量が低下するところ、実施の形態３の如く口径の小さい第２吐出口７２２を補助的に設けることにより、係る部位にも効果的に水を供給でき、その結果生ごみの付着を防止し、より衛生的なディスポーザ１を提供することが可能となる。
【００５２】
本実施の形態３は以上の如き構成としてあり、その他の構成及び作用は実施の形態１及び２と同様であるので、対応する部分には同一の参照番号を付してその詳細な説明を省略する。
【図面の簡単な説明】
【００５３】
【図１】ディスポーザの概要を示す模式図である。
【図２】ディスポーザを上部から見た平面図である。
【図３】図２の III−III 線による断面図である。
【図４】図２のIV−IV線による断面図である。
【図５】ディスポーザを制御する各ハードウェアのブロック図である。
【図６】検知センサの取り付け位置を示す模式的斜視図である。
【図７】ヒンジ部の構造を示す模式的斜視図である。
【図８】ヒンジ部の構造及び開閉蓋の開閉遷移を示す模式的側面図である。
【図９】実施の形態２に係るディスポーザを上部から見た平面図である。
【図１０】実施の形態３に係るディスポーザを上部から見た平面図である。
【符号の説明】
【００５４】
１      ディスポーザ
２      ホッパー
３      破砕部
４      投入口
６      開閉蓋
７      水供給部
１０    保護シート
２０    周縁部
２１    傾斜部
６２Ｃ  ロックシャフト
７１    バルブ
７２    供給管
７２１  第１吐出口
７２２  第２吐出口
Ｓ      検知センサ
【図１】
2007209876.tif 000003
【図２】
2007209876.tif 000004
【図３】
2007209876.tif 000005
【図４】
2007209876.tif 000006
【図５】
2007209876.tif 000007
【図６】
2007209876.tif 000008
【図７】
2007209876.tif 000009
【図８】
2007209876.tif 000010
【図９】
2007209876.tif 000011
【図１０】
2007209876.tif 000012